(57)【要約】【課題】角度調整が可能な鏡面を有するとともに、収納物の出し入れが容易な収納キャビネット、及びこれを用いた洗面化粧台を提供する。【解決手段】本発明の収納キャビネット２は、一側面に収納物を出し入れするための開口部３ｆを有する収納空間５、及びこの収納空間５を画定する左右側壁部３ｃ、背面側側壁部３ｅを有し、背面側側壁部３ｅ外側面が鏡面とされた箱型の収納キャビネット本体３と、壁面Ｈに固定されるとともに収納キャビネット本体３を上下方向に平行な回転軸回りに回転自在に支持するブラケット４と、を備えている。【選択図】      図１
2007159826.tif 000002
【特許請求の範囲】
【請求項１】
壁面に固定される収納キャビネットであって、
一側面に収納物を出し入れするための開口部を有する収納空間、及びこの収納空間を画定する複数の側壁部を有し、前記複数の側壁部の内の少なくとも一つの側壁部の外側面が鏡面とされた箱型の収納キャビネット本体と、
前記壁面に固定されるとともに前記収納キャビネット本体を上下方向に平行な回転軸回りに回転自在に支持するブラケットと、を備えていることを特徴とする収納キャビネット。
【請求項２】
前記開口部の反対側側面となる側壁部の外側面が鏡面とされ、
前記回転軸が、前記鏡面とされた側壁部外側面よりも前記一側面に近い位置に配置されている請求項１に記載の収納キャビネット。
【請求項３】
洗面台と、
この洗面台の上方に配置され使用者に正対する主鏡と、
前記主鏡の側方に配置された請求項１又は２に記載の収納キャビネットと、を備えていることを特徴とする洗面化粧台。
【請求項４】
前記収納キャビネットが前記主鏡の左右両側方に配置されている請求項３に記載の洗面化粧台。
【発明の詳細な説明】
【技術分野】
【０００１】
本発明は、洗面化粧台等に配置される収納キャビネット、及びこれを用いた洗面化粧台に関する。
【背景技術】
【０００２】
従来から、洗面化粧台等には、例えば、使用者の正面に配置される主鏡と、この主鏡の端縁を回転軸として回動可能に取り付けられ主鏡に対する角度が調整できる袖鏡と、この袖鏡の後側に設けられるとともに当該袖鏡を開き扉とした収納空間と、を有するものや（例えば、特許文献１参照）、主鏡の側方にブラケット等で回転自在に支持された板状の袖鏡を備えたものがある。このような洗面化粧台は、主鏡とこの主鏡に対する角度が調整できる袖鏡とを組み合わせて、合わせ鏡として使用できるように構成されている。
【０００３】
【特許文献１】特開２０００−２４５６４４号公報（図１）
【発明の開示】
【発明が解決しようとする課題】
【０００４】
上記従来例のうち、後方の収納空間の袖鏡を兼ねた開き扉を有するものでは、収納空間の開口の左右いずれか一方の縁部に開き扉が回動可能に取り付けられている。このように回動可能な開き扉が取り付けられていると、収納空間内部の収納物を出し入れする際、この開き扉が邪魔になって収納物の出し入れがし難い場合があった。また、回転自在に支持された板状の袖鏡を有するものは、シンプルであるが、収納空間を有していないため、不便であるという問題があった。
本発明はかかる問題点に鑑みてなされたものであり、主鏡に対する袖鏡としても用いることができる、角度調整が可能な鏡面を有するとともに、収納物の出し入れが容易な収納空間を提供することができる収納キャビネット、及びこれを用いた洗面化粧台を提供することを目的とする。
【課題を解決するための手段】
【０００５】
本発明は、壁面に固定される収納キャビネットであって、一側面に収納物を出し入れするための開口部を有する収納空間、及びこの収納空間を画定する複数の側壁部を有し、前記複数の側壁部の内の少なくとも一つの側壁部の外側面が鏡面とされた箱型の収納キャビネット本体と、前記壁面に固定されるとともに前記収納キャビネット本体を上下方向に平行な回転軸回りに回転自在に支持するブラケットと、を備えていることを特徴としている。
【０００６】
上記のように構成された収納キャビネットによれば、収納キャビネット本体は回転自在に支持されているので、鏡面とされた側壁部外面の角度を当該収納キャビネットを使用する使用者が自在に調整することができる。また、例えば、当該収納キャビネットを使用者に正対する主鏡の側方に配置すれば、鏡面とされた側壁部外側面を主鏡に対する袖鏡として用いることができ、両者で合わせ鏡を構成できる。
また、収納キャビネット本体は、収納キャビネット本体を回転させることで、収納空間の開口部を壁面側に向けたり、使用者の正面に向けたりすることができる。これにより、特に収納空間内部を隠すための開き扉等を設けずとも開口部を壁面側に向けるだけで、収納キャビネット本体の収納空間内部を容易に隠すことができる。他方、収納キャビネット本体を回転させるだけで収納空間の開口部を使用者に向けることができるとともに、上記従来例のような収納物の出し入れの際に邪魔となるような回動可能な開き扉がないので収納空間内部の収納物を容易に出し入れすることができる。
さらに、本発明の収納キャビネットは、上記のように、収納キャビネット本体を回転させることで、収納物を出し入れできるので、使用者が収納キャビネットに対して左右両側いずれの側に立ったとしても使用することができる。
【０００７】
また、前記開口部の反対側側面となる側壁部外側面が鏡面とされ、前記回転軸が、前記鏡面とされた側壁部外側面よりも前記一側面に近い位置に配置されていることが好ましく、このようにすることで、収納キャビネット本体を回転させ鏡面とされた前記側壁部外面を壁面側に向けた場合、開口部を壁面側に向けた場合よりも当該収納キャビネット本体を壁面に対してより離間させることができる。従って、当該収納キャビネット本体をより当該収納キャビネットを使用する使用者側に近づけることができるので、収納物の出し入れがより容易に行える。
【０００８】
また、本発明の洗面化粧台は、洗面台と、この洗面台の上方に配置され使用者に正対する主鏡と、前記主鏡の側方に配置された上記収納キャビネットと、を備えていることを特徴としている。
上記のように構成された洗面化粧台によれば、上述のように、収納キャビネットの側壁部外側面の鏡面を主鏡に対する袖鏡として用いることができ、両者で合わせ鏡を構成できる。
また、収納キャビネットに対して特に収納空間内部を隠すための開き扉等を設けずとも、収納キャビネット本体の収納空間内部を容易に隠したり、収容空間から収納物を容易に出し入れすることができる。
【０００９】
また、上記洗面化粧台において、前記収納キャビネットが前記主鏡の左右両側方に配置されていることが好ましく、この場合、主鏡と、左右両側方の収納キャビネットの鏡面と、によって三面鏡を構成することができ、使い勝手を良好なものにできる。
【発明の効果】
【００１０】
本発明の収納キャビネットは、主鏡に対する袖鏡としても用いることができる、角度調整が可能な鏡面とされた側壁部外側面を有するとともに、収納物の出し入れが容易な収納空間を提供できるものとできる。また、本発明の洗面化粧台によれば、上記収納キャビネットを用いることで、収納物の出し入れが容易な収納空間を提供することができる。
【発明を実施するための最良の形態】
【００１１】
次に、本発明の好ましい実施形態について添付図面を参照しながら説明する。図１は本発明の一実施形態に係る収納キャビネットを用いた洗面化粧台の斜視図である。この洗面化粧台Ｓは、手前側に張り出したボール１０ａ及び蛇口１０ｂを備えた洗面台１０と、この洗面台１０の上方に配置された主鏡１とを有している。この主鏡１は、使用者が洗面化粧台Ｓを使用する際に、使用者に正対し当該使用者の正面を写すものである。
主鏡１の左右両側方には、収納キャビネット２が、左右一対配置されている。収納キャビネット２は、収納キャビネット本体３と、収納キャビネット本体３を回転自在に支持するブラケット４とを備えており、壁面Ｈに固定されている。
【００１２】
図２は、収納キャビネット２の側面図である。図１及び図２を参照して、収納キャビネット本体３は、収納物を出し入れすべく一側面に開口部３ｆを有する収納空間５と、収納空間５を画定する上面部３ａ、下面部３ｂ、左右側壁部３ｃ、及び背面側側壁部３ｅとを有しており、高さ方向の寸法が主鏡１の高さ寸法とほぼ同じ高さとされた縦長の箱型に形成されている。
また、背面側側壁部３ｅの外側面側には、主鏡１とほぼ同じ高さ寸法とされた矩形の袖鏡６が配設されており、背面側側壁部３ｅ外側面は、この袖鏡６によって袖鏡面Ｍとされている。すなわち、収納キャビネット本体３において、開口３ｆが形成された一側面としての開口面Ｋの反対側側面となる背面側側壁部３ｅ外側面が、袖鏡６によって袖鏡面Ｍとされている。
また、上下面部３ａ，３ｂには、それぞれ上下方向に突設された円筒状の軸部３ａ１、３ｂ１が設けられている。これら軸部３ａ１、３ｂ１は、互いに同一かつ上下方向に平行な軸線上となる位置に設けられている。これら軸部３ａ１、３ｂ１は、ブラケット４に設けられた孔状の軸受部４ｂ１に挿通されている。
【００１３】
ブラケット４は、金属、樹脂、木材等を用いて形成され、壁面Ｈに固定された上下方向に延びる固定部４ａと、固定部４ａの両端から手前方向に延ばされた一対の支持部４ｂと、を有する凹型の部材である。一対の支持部４ｂは、収納キャビネット本体３を上下方向から挟むように形成されている。また、支持部４ｂの端部には、上述したように軸部３ａ１、３ｂ１が挿通された軸受部４ｂ１が形成されている。軸受部４ｂ１は、軸部３ａ１、３ｂ１を通過する軸線が上下方向に平行となるように形成されており、ブラケット４は、この軸受部４ｂ１が形成された支持部４ｂによって、軸部３ａ１、３ｂ１を通過する軸線を回転軸として収納キャビネット本体３を回転自在に支持している。
また、支持部４ｂは、収納キャビネット本体３が回転した際に、収納キャビネット本体３が、固定部４ａに接触しない程度にかつ主鏡１よりも使用者側に位置するように延ばされている。
【００１４】
図３は、上記収納キャビネット２の上面図である。収納キャビネット本体３の回転軸となる軸部３ａ１は、上面部３ａにおいて図のように、上面部３ａの中心位置Ｊに対して偏心するように配置されている。具体的には、図３（ａ）に示すように、壁面Ｈに対して直交する直交方向における軸部３ａ１から袖鏡面Ｍまでの距離Ｔ１が、同直交方向における軸部３ａ１から開口面Ｋまでの距離Ｔ２よりも小さくなるように設定されている。すなわち、軸部３ａ１は、開口面Ｋよりも袖鏡面Ｍに近い位置に配置されている。従って、収納キャビネット２は、収納キャビネット本体３を図３（ａ）の位置から１８０度回転させると、図３（ｂ）に示すように、袖鏡面Ｍが使用者の方に向くとともに収納キャビネット本体３の全体が寸法Ｕだけ壁面Ｈに近づく。逆に、図３（ａ）の場合には、開口３ｆが使用者の方に向くとともに図３（ｂ）の状態よりも収納キャビネット本体３が壁面Ｈに対してより離間し、寸法Ｕだけ使用者に近づく。
【００１５】
上記のように構成された本実施形態の収納キャビネット２によれば、収納キャビネット本体３は回転自在に支持されているので、袖鏡面Ｍの角度を使用者が自在に調整することができる。また、この袖鏡面Ｍは主鏡１に対する袖鏡として用いることができ、両者で合わせ鏡を構成できる。
また、収納キャビネット本体３は、収納キャビネット本体３を回転させることで、収納空間５の開口部３ｆを壁面Ｈ側に向けたり、使用者の正面に向けたりすることができる。これにより、特に収納空間５の内部を隠すための開き扉等を設けずとも開口部３ｆを壁面Ｈ側に向けるだけで、収納空間５内部を容易に隠すことができる。他方、収納キャビネット本体３を回転させるだけで開口面Ｋを使用者に向けることができるとともに、上記従来例のような収納物の出し入れの際に邪魔となるような回動可能な開き扉がないので、収納空間内部の収納物を容易に出し入れすることができる。
さらに、本実施形態の収納キャビネット２は、収納キャビネット本体３を回転させることで、収納空間５内部の収納物を出し入れできるので、使用者が収納キャビネット２に対して左右両側いずれの側に立ったとしても使用することができる。
【００１６】
以上によって、本実施形態の収納キャビネット２によれば、角度調整が可能な袖鏡面Ｍと、主鏡１とによって合わせ鏡を構成しつつ、収納物の出し入れが容易な収納空間を提供することができる。
【００１７】
また、袖鏡６は、収納キャビネット本体３の左右側壁部３ｃ外面及び背面側側壁部３ｅ外側面のいずれに配設してもよいが、本実施形態のように、背面側側壁部３ｅ外側面に配設することで、開口面Ｋの反対側側面が袖鏡面Ｍとなるようにし、回転軸としての軸部３ａ１（軸部３ｂ１）を開口面Ｋよりも袖鏡面Ｍに近い位置に配置することが好ましい。
このようにすることで、上述したように、収納キャビネット本体３を回転させ開口面Ｋを使用者の正面に向けた場合、袖鏡面Ｍを使用者の正面に向けた場合よりも、収納キャビネット本体３をより使用者側に近づけることができる。これにより、収納物の出し入れがより容易に行える。他方、袖鏡面Ｍを使用者の正面に向けた場合、収納キャビネット本体３を壁面Ｈ側に近づけて壁面Ｈからの突出をやや小さくすることができるので、収納キャビネット本体３を適度に納めた状態とすることができる。
【００１８】
また、上記のように構成された洗面化粧台Ｓによれば、上述の収納キャビネット２の袖鏡面Ｍと主鏡１とによって、合わせ鏡を構成できるとともに、収納キャビネット本体３を回転させるだけで、収納キャビネット本体３の収容空間５内部を隠したり収納物の出し入れをすることができるので、収納物の出し入れが容易な収納空間を提供することができる。
また、本実施形態の洗面化粧台Ｓは、収納キャビネット２を主鏡１の左右両側方に配置したので、主鏡１と、両側一対の収納キャビネット２の袖鏡面Ｍと、によって三面鏡を構成することができ、使い勝手をより良好なものにできる。
【００１９】
なお、本発明は上記実施形態に限定されるものではない。例えば、上記実施形態では、収納キャビネット２は主鏡１の左右両側方に配置したが、一方側の側方のみに配置してもよいし、主鏡１の側方に配置せず、収納キャビネット２単体で用いることもできる。
また、本発明の収納キャビネット２は、上述したように、使用者が当該収納キャビネット２に対して左右両側いずれの側に立ったとしても使用することができるので、図４に示すように、壁面Ｈに並べて配置された２つの主鏡１の間に、当該収納キャビネット２を配置してもよい。このようにすることで、２つの主鏡を有し二人並んで使用できる洗面台においても本発明の収納キャビネット２は有効に用いることができる。
また、収納キャビネット本体３を支持するブラケットは、凹型のものに限らず、収納キャビネット本体３を回転自在に支持できるものであれば、いかなる形状であってもよい。
また、上記実施形態において袖鏡面Ｍは、収納キャビネット本体３における背面側側壁部３ｅ外側面の一面のみに配したが、例えば、左右側壁部３ｃ外側面も鏡面としてもよい。
また、袖鏡面Ｍは、主鏡１とほぼ同じ高さ寸法を有する矩形としたが、使用者が主鏡１とともに合わせ鏡として用いることができれば、いかなる形状であってもよい。
【図面の簡単な説明】
【００２０】
【図１】本発明の一実施形態に係る収納キャビネットを用いた洗面化粧台の斜視図である。
【図２】収納キャビネットの側面図である。
【図３】収納キャビネットの上面図である。
【図４】並べて配置された２つの主鏡の間に配置された収納キャビネットの態様を示す上面図である。
【符号の説明】
【００２１】
１      主鏡
２      収納キャビネット
３      収納キャビネット本体
３ａ１，３ｂ１  軸部
３ｅ    背面側側壁部
３ｆ    開口部
４      ブラケット
５      収納空間
６      袖鏡
１０    洗面台
Ｈ      壁面
Ｋ      開口面
Ｍ      袖鏡面
Ｓ      洗面化粧台
【図１】
2007159826.tif 000003
【図２】
2007159826.tif 000004
【図３】
2007159826.tif 000005
【図４】
2007159826.tif 000006